(57)【要約】  バッテリー電源部１０１は、自装置の各部に電力を供給する。外部通信部１０２は、外部装置と通信を行う。タッチスクリーン部１０３は、画像の表示及びタッチ操作の受け付けを行う。モード制御部１０６は、自装置が所定の動作モードで動作するように制御する。モード制御部１０６は、例えば、バッテリー電源部１０１から外部通信部１０２への電力の供給が行われ、且つ、タッチスクリーン部１０３により画像が維持された状態でバッテリー電源部１０１からタッチスクリーン部１０３への電力の供給が行われない動作モードである第１スリープモードで自装置を動作させる。
2019097741.tif 000002
【特許請求の範囲】
【請求項１】
自装置の各部に電力を供給する電源部と、
通信を行う通信部と、
表示及びタッチ操作の受け付けを行うタッチスクリーン部と、
第１の条件が満たされた場合に、前記タッチスクリーン部により表示された画像が維持された状態で前記電源部から前記タッチ操作のための電力が供給されず、且つ、前記電源部から前記通信部への電力の供給が行われる動作モードである第１動作モードに自装置を切り替える制御部と
を備える表示装置。
【請求項２】
前記タッチスクリーン部は、表示する画像の書き換えには電力を消費し、書き換えた画像の維持には電力を消費せず、
前記制御部は、前記タッチスクリーン部により画像が維持された状態で前記電源部から前記タッチスクリーン部への電力の供給が行われない動作モードを前記第１動作モードとして自装置の切り替えを行う
請求項１に記載の表示装置。
【請求項３】
自装置で発生するイベントを検知する検知部を備え、
前記制御部は、前記第１動作モードにおいて、前記検知部によりイベントが検知された場合に、前記電源部から前記タッチスクリーン部に一時的に電力を供給させ、前記タッチスクリーン部に表示されている画像を当該イベントに応じた画像に書き換えさせる
請求項２に記載の表示装置。
【請求項４】
自装置の位置を測定する測定部を備え、
前記検知部は前記測定部による所定の位置の測定を前記イベントとして検知し、
前記制御部は、前記第１動作モードにおいて、前記検知部により前記測定部による所定の位置の測定が検知された場合に、前記電源部から前記タッチスクリーン部に一時的に電力を供給させ、前記タッチスクリーン部に表示されている画像を当該位置に応じた画像に書き換えさせる
請求項３に記載の表示装置。
【請求項５】
ユーザの操作を受け付ける操作受付部を備え、
前記検知部は前記操作受付部による操作の受け付けを検知し、
前記制御部は、前記第１動作モードにおいて、前記検知部により前記操作受付部による操作の受け付けが検知された場合に、前記電源部から前記タッチスクリーン部に一時的に電力を供給させ、前記タッチスクリーン部に表示されている画像を当該操作に応じた画像に書き換えさせる
請求項３又は４に記載の表示装置。
【請求項６】
前記制御部は、前記第１動作モードにおいて、前記通信部によりデータが受信された場合に、前記電源部から前記タッチスクリーン部に一時的に電力を供給させ、前記タッチスクリーン部に表示されている画像を前記通信部により受信されたデータに応じた画像に書き換えさせる
請求項３から５のいずれか１項に記載の表示装置。
【請求項７】
前記制御部は、第２の条件が満たされた場合に、前記電源部から前記タッチスクリーン部及び前記通信部への電力の供給が行われる動作モードである第２動作モードに自装置を切り替える
請求項１から６のいずれか１項に記載の表示装置。
【請求項８】
前記制御部は、第３の条件が満たされた場合に、前記タッチスクリーン部に表示されている画像を所定の画像に書き換えさせた後、前記電源部から自装置の各部のいずれにも電力が供給されない動作モードである第３動作モードに自装置を切り替える
請求項１から７のいずれか１項に記載の表示装置。
【請求項９】
前記電源部は電池を有し、
前記第３の条件には、前記電池が切れた場合に満たされる第４の条件を含む複数の条件があり、
前記制御部は、前記複数の条件のいずれかが満たされた場合に、前記タッチスクリーン部に表示されている画像を、当該満たされた条件が前記第４の条件であるか否かに応じた画像に書き換えさせた後、自装置を前記第３動作モードに切り替える
請求項８に記載の表示装置。
【請求項１０】
電源部と、通信部と、タッチスクリーン部とを備える表示装置の表示方法であって、
第１の条件が満たされた場合に、前記タッチスクリーン部により表示された画像が維持された状態で前記タッチスクリーン部に対するタッチ操作のための電力が前記電源部から供給されず、且つ、前記電源部から前記通信部への電力の供給が行われる動作モードである第１動作モードに自装置を切り替えるステップ
を含む表示方法。
【発明の詳細な説明】
【技術分野】
【０００１】
本発明は、ユーザインターフェースの技術に関する。
【背景技術】
【０００２】
特許文献１には、液晶パネルと電子ペーパ（電源切断後も画像が消えない特徴を持った表示媒体）とを同一の電極基板上に積層して構成し、スリープモードに移行して表示操作パネルの電源がオフにされたときに、電子ペーパにスリープ機能動作時のデフォルト表示画面を表示させる技術が開示されている。
【先行技術文献】
【特許文献】
【０００３】
【特許文献１】特開２００６−１３９１４５号公報
【発明の概要】
【発明が解決しようとする課題】
【０００４】
電子ペーパでは、タッチスクリーン部に表示した画像を前述したように電力を消費しなくても維持する技術が用いられることが多い。そのようにタッチスクリーン部の電力消費を抑える技術をスマートフォンのような通信機能を有する表示装置に適用する場合、省電力だけでなく通信の利便性が犠牲にならないようにすることが望ましい。
そこで、本発明は、通信の利便性を保ちつつタッチスクリーン部の電力消費を抑えることを目的とする。
【課題を解決するための手段】
【０００５】
上記目的を達成するために、本発明は、自装置の各部に電力を供給する電源部と、通信を行う通信部と、表示及びタッチ操作の受け付けを行うタッチスクリーン部と、第１の条件が満たされた場合に、前記タッチスクリーン部により表示された画像が維持された状態で前記電源部から前記タッチ操作のための電力が供給されず、且つ、前記電源部から前記通信部への電力の供給が行われる動作モードである第１動作モードに自装置を切り替える制御部とを備える表示装置を提供する。【０００６】
また、前記タッチスクリーン部は、表示する画像の書き換えには電力を消費し、書き換えた画像の維持には電力を消費せず、前記制御部は、前記タッチスクリーン部により画像が維持された状態で前記電源部から前記タッチスクリーン部への電力の供給が行われない動作モードを前記第１動作モードとして自装置の切り替えを行ってもよい。【０００７】
また、自装置で発生するイベントを検知する検知部を備え、前記制御部は、前記第１動作モードにおいて、前記検知部によりイベントが検知された場合に、前記電源部から前記タッチスクリーン部に一時的に電力を供給させ、前記タッチスクリーン部に表示されている画像を当該イベントに応じた画像に書き換えさせてもよい。【０００８】
さらに、自装置の位置を測定する測定部を備え、前記検知部は前記測定部による所定の位置の測定を前記イベントとして検知し、前記制御部は、前記第１動作モードにおいて、前記検知部により前記測定部による所定の位置の測定が検知された場合に、前記電源部から前記タッチスクリーン部に一時的に電力を供給させ、前記タッチスクリーン部に表示されている画像を当該位置に応じた画像に書き換えさせてもよい。【０００９】
また、ユーザの操作を受け付ける操作受付部を備え、前記検知部は前記操作受付部による操作の受け付けを検知し、前記制御部は、前記第１動作モードにおいて、前記検知部により前記操作受付部による操作の受け付けが検知された場合に、前記電源部から前記タッチスクリーン部に一時的に電力を供給させ、前記タッチスクリーン部に表示されている画像を当該操作に応じた画像に書き換えさせてもよい。【００１０】
さらに、前記制御部は、前記第１動作モードにおいて、前記通信部によりデータが受信された場合に、前記電源部から前記タッチスクリーン部に一時的に電力を供給させ、前記タッチスクリーン部に表示されている画像を前記通信部により受信されたデータに応じた画像に書き換えさせてもよい。
また、前記制御部は、第２の条件が満たされた場合に、前記電源部から前記タッチスクリーン部及び前記通信部への電力の供給が行われる動作モードである第２動作モードに自装置を切り替えてもよい。【００１１】
また、前記制御部は、第３の条件が満たされた場合に、前記タッチスクリーン部に表示されている画像を所定の画像に書き換えさせた後、前記電源部から自装置の各部のいずれにも電力が供給されない動作モードである第３動作モードに自装置を切り替えてもよい。【００１２】
さらに、前記電源部は電池を有し、前記第３の条件には、前記電池が切れた場合に満たされる第４の条件を含む複数の条件があり、前記制御部は、前記複数の条件のいずれかが満たされた場合に、前記タッチスクリーン部に表示されている画像を、当該満たされた条件が前記第４の条件であるか否かに応じた画像に書き換えさせた後、自装置を前記第３動作モードに切り替えてもよい。【００１３】
また、本発明は、電源部と、通信部と、タッチスクリーン部とを備える表示装置の表示方法であって、第１の条件が満たされた場合に、前記タッチスクリーン部により表示された画像が維持された状態で前記タッチスクリーン部に対するタッチ操作のための電力が前記電源部から供給されず、且つ、前記電源部から前記通信部への電力の供給が行われる動作モードである第１動作モードに自装置を切り替えるステップを含む表示方法を提供する。
【発明の効果】
【００１４】
本発明によれば、通信の利便性を保ちつつタッチスクリーン部の電力消費を抑えることができる。
【図面の簡単な説明】
【００１５】
【図１】実施例に係るスマートフォンのハードウェア構成を表す図
【図２】スマートフォンの外観を表す図
【図３】スマートフォンが実現する機能構成を表す図
【図４】動作モードテーブルの一例を表す図
【図５】切替条件テーブルの一例を表す図
【図６】モード切替処理における動作手順の一例を表す図
【図７】イベント更新表示処理における動作手順の一例を表す図
【図８】変形例のスマートフォンが実現する機能構成を表す図
【符号の説明】
【００１６】
１…スマートフォン、１１…プロセッサ、１２…メモリ、１３…ストレージ、１４…通信装置、１５…測位装置、２１…入力装置、２２…出力装置、２３…タッチスクリーン装置、２４…ディスプレイ、２５…位置検出センサ、３１…電力供給装置、３２…バッテリー、４１…ボタン装置、４２…メインボタン、４３…音量ボタン、５１…バス、５２…電力供給回路、１０１…バッテリー電源部、１０２…外部通信部、１０３…タッチスクリーン部、１０４…イベント検知部、１０５…位置測定部、１０６…モード制御部、１０７…ユーザ操作受付部、１３１…表示部、１３２…タッチ操作受付部。
【発明を実施するための形態】
【００１７】
［１］実施例
図１は実施例に係るスマートフォン１のハードウェア構成を表す。スマートフォン１は、プロセッサ１１と、メモリ１２と、ストレージ１３と、通信装置１４と、測位装置１５と、入力装置２１と、出力装置２２と、電力供給装置３１と、ボタン装置４１と、バス５１と、電力供給回路５２という各装置を備えるコンピュータである。
【００１８】
なお、ここでいう「装置」という文言は、回路、デバイス及びユニット等に読み替えることができる。また、各装置は、１つ又は複数含まれていてもよいし、一部の装置が含まれていなくてもよい。プロセッサ１１は、例えば、オペレーティングシステムを動作させてコンピュータ全体を制御する。プロセッサ１１は、周辺装置とのインターフェース、制御装置、演算装置、レジスタなどを含む中央処理装置（ＣＰＵ：Central Processing Unit）で構成されてもよい。
【００１９】
また、プロセッサ１１は、内蔵時計を備えており、その内蔵時計から現在の日付及び時刻を取得することができる。また、プロセッサ１１は、ＯＳ（Operating System：オペレーティングシステム）及び各種のアプリケーション（アプリ）を含むプログラム（プログラムコード）、ソフトウェアモジュール及びデータ等を、ストレージ１３及び／又は通信装置１４からメモリ１２に読み出す。
【００２０】
プロセッサ１１は、読み出したＯＳ等に従って各種の処理を実行する。各種処理を実行するプロセッサ１１は１つでもよいし、２以上であってもよく、２以上のプロセッサ１１は、同時又は逐次に各種処理を実行してもよい。また、プロセッサ１１は、１以上のチップで実装されてもよい。プログラムは、電気通信回線を介してネットワークから送信されてもよい。
【００２１】
メモリ１２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。メモリ１２は、レジスタ、キャッシュ及びメインメモリ（主記憶装置）等と呼ばれてもよい。メモリ１２は、前述したプログラム（プログラムコード）、ソフトウェアモジュール及びデータ等を保存することができる。
【００２２】
ストレージ１３は、コンピュータが読み取り可能な記録媒体であり、例えば、ハードディスクドライブ、フレキシブルディスク、フラッシュメモリ（例えば、カード、スティック、キードライブ）、磁気ストリップなどの少なくとも１つで構成されてもよい。ストレージ１３は、補助記憶装置と呼ばれてもよい。上述の記憶媒体は、例えば、メモリ１２及び／又はストレージ１３を含むデータベース、サーバその他の適切な媒体であってもよい。
【００２３】
通信装置１４は、有線及び／又は無線ネットワークを介してコンピュータ間の通信を行うためのデバイス（送受信デバイス）であり、例えばネットワークデバイス、ネットワークコントローラ、ネットワークカード、通信モジュールなどともいう。通信装置１４は、本実施例では、移動体通信及び無線ＬＡＮ（Local Area Network）通信を含む無線通信を行う。
【００２４】
測位装置１５は、自装置（スマートフォン１）の位置を測定するデバイスであり、例えばＧＰＳ（Global Positioning System）の技術を用いて自装置の位置を測定する。なお、位置の測定方法は、ＧＰＳに限らず、例えば基地局又は無線ＬＡＮのアクセスポイントとの通信強度を利用して位置を測定する基地局測位又はＷｉＦｉ測位等の測定方法が用いられてもよい。
【００２５】
入力装置２１は、外部からの入力を受け付ける入力デバイス（例えば、マイクロフォン、スイッチ、ボタン、センサなど）である。出力装置２２は、外部への出力を実施する出力デバイス（例えば、ディスプレイ、スピーカ、ＬＥＤランプなど）である。スマートフォン１においては、入力装置２１及び出力装置２２は、一体となってタッチスクリーン装置２３を構成している。
【００２６】
タッチスクリーン装置２３は、画像を表示する出力デバイスであると共に、ユーザの操作を受け付ける入力デバイスである。タッチスクリーン装置２３は、ディスプレイ２４と、位置検出センサ２５とを備える。ディスプレイ２４は、画像を表示させるデバイスである。ディスプレイ２４は、本実施例では、電気泳動方式の表示装置であり、電力を消費して表示させる画像を書き換え、書き換えた後の画像は電力を消費することなく維持する。
【００２７】
位置検出センサ２５は、ディスプレイ２４上でユーザがタッチした位置（タッチ位置）を検出するデバイスである。電力供給装置３１は、電力を蓄積するバッテリー３２を備え、そのバッテリー３２が蓄積した電力を自装置（スマートフォン１）の各部に供給するデバイスである。ボタン装置４１は、メインボタン４２及び音量ボタン４３を含む操作子を備え、それらの操作子への操作を受け付ける。
【００２８】
プロセッサ１１等の各装置は、バス５１を介して互いにアクセス可能となっている。バス５１は、情報を通信するための配線である。バス５１は、単一のバスで構成されてもよいし、装置間で異なるバスで構成されてもよい。また、プロセッサ１１等の各装置には、電力供給回路５２を介して電力供給装置３１から電力が供給される。電力供給回路５２は、電力供給装置３１に接続され、各装置に必要な電力を供給する回路である。
【００２９】
メインボタン４２を除く各装置はいずれも電力供給装置３１から電力供給回路５２を介して電力が供給されていなければ動作しない。メインボタン４２は、いわゆる電源ボタンとして用いられる操作子であり、例えばバッテリー３２の電力が直接供給されており、電力供給装置３１及び電力供給回路５２を介してボタン装置４１に電力が供給されていなくても動作する。
【００３０】
本実施例では、メインボタン４２は、電力供給装置３１による電力供給がされていない状態で長押しの操作が行われると、電力供給を開始させることを示す電源ＯＮ信号を電力供給装置３１に供給する。電力供給装置３１は、この電源ＯＮ信号が供給されると、プロセッサ１１等への電力供給を開始する。なお、メインボタン４２は、電源ボタン以外の用途でも用いられる（詳細は後述する）。音量ボタン４３は、主として音量を増減させる際に用いられる操作子であり、ボタン装置４１に電力が供給されているときに動作する。
【００３１】
なお、スマートフォン１は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、及び、ＦＰＧＡ（Field Programmable Gate Array）等のハードウェアを含んで構成されてもよく、当該ハードウェアにより、各機能ブロックの一部又は全てが実現されてもよい。例えば、プロセッサ１１は、これらのハードウェアの少なくとも１つで実装されてもよい。
【００３２】
図２はスマートフォン１の外観を表す。スマートフォン１は、薄い直方体の形をした筐体６１を有しており、筐体６１の最も広い面６２にタッチスクリーン装置２３の表示面が設けられている。タッチスクリーン装置２３の上側にはスピーカ口２６が設けられている。筐体６１の上面６３にはメインボタン４２が設けられており、側面６４には音量ボタン４３−１及び４３−２が設けられている。
【００３３】
例えば音量ボタン４３−１は音量を上げるボタン、音量ボタン４３−２は音量を下げるボタンである。スマートフォン１は、通常のスマートフォンに比べて小型に作られており、例えば筐体６１の最も広い面６２でもクレジットカード程度の大きさとなっている。また、筐体６１の厚さも、例えば財布又は名刺入れ等に入れてもかさばらない程度の厚さとなっている。
【００３４】
スマートフォン１のプロセッサ１１がプログラムを実行して各部を制御することで以下に述べる機能群が実現される。
図３はスマートフォン１が実現する機能構成を表す。スマートフォン１は、バッテリー電源部１０１と、外部通信部１０２と、タッチスクリーン部１０３と、イベント検知部１０４と、位置測定部１０５と、モード制御部１０６とを備える。
【００３５】
バッテリー電源部１０１は、図１に表すバッテリー３２という電池を有し、自装置（スマートフォン１）の各部に電力を供給する。バッテリー電源部１０１は本発明の「電源部」の一例である。バッテリー電源部１０１は図１に表す電力供給装置３１により実現される。バッテリー電源部１０１は、後述するモード制御部１０６によって制御され、ボタン装置４１への操作等に基づいてモード制御部１０６が指定した機能に対して電力を供給する。
【００３６】
外部通信部１０２は、外部装置と通信を行う機能であり、本発明の「通信部」の一例である。外部通信部１０２は図１に表す通信装置１４によって実現される。外部通信部１０２は、バッテリー電源部１０１から電力が供給されると、いつでも外部装置との通信を開始できるように待機状態で動作する。外部通信部１０２は、待機状態のときに例えば移動体通信網の基地局から発信された接続を要求する信号を受信して、ユーザが通話を開始する操作を行うと、接続処理を行い、基地局を介した移動体通信を開始する。
【００３７】
また、外部通信部１０２は、待機状態のときに電子メール又はＳＮＳ（Social Networking Service）の投稿等の文書データを受信すると、受信した文書データをプロセッサ１１に供給し、プロセッサ１１が、供給されたメッセージをメモリ１２等に記憶させる。この文書データの記憶は、ユーザが操作を行わなくても自動的に行われ、ユーザが後から文書データを見る際には、通信を行わなくても記憶された文書データを読み出して見ることができるようになっている。
【００３８】
タッチスクリーン部１０３は、画像を表示する表示部１３１と、タッチ操作を受け付けるタッチ操作受付部１３２とを備え、画像の表示及びタッチ操作の受け付けを行う。タッチスクリーン部１０３は本発明の「タッチスクリーン部」の一例である。表示部１３１は図１に表すディスプレイ２４によって実現され、タッチ操作受付部１３２は図１に表す位置検出センサ２５によって実現される。
【００３９】
タッチ操作とは、指又はタッチペン（スタイラスペン）等で図１に表すタッチスクリーン装置２３のディスプレイ２４の表面をタッチして行う操作のことである。タッチスクリーン部１０３（表示部１３１）は、上記のとおり電気泳動方式の表示装置であるディスプレイ２４に画像を表示するので、表示する画像の書き換えには電力を消費し、書き換えた画像の維持には電力を消費しない。
【００４０】
イベント検知部１０４は、自装置（スマートフォン１）で発生するイベントを検知する機能であり、本発明の「検知部」の一例である。ここでいうイベントとは、自装置の各部の動作により検知可能な事象であり、後述する画像の書き換えを行うために検知される。以下ではイベント検知部１０４が検知するイベントのことを「画像書換イベント」という。画像書換イベントは本発明の「イベント」の一例である。イベント検知部１０４は、例えば、現在時刻のうちの例えば「分」の位の数値の変化（例えば１時５分が１時６分になる変化）を画像書換イベントとして検知する。
【００４１】
また、イベント検知部１０４は、本実施例では、位置測定部１０５の動作により画像書換イベントを検知する。位置測定部１０５は、自装置（スマートフォン１）の位置を測定する機能であり、本発明の「測定部」の一例である。位置測定部１０５は図１に表す測位装置１５により実現される。イベント検知部１０４は、例えば位置測定部１０５による所定の位置の測定を画像書換イベントとして検知する。所定の位置の具体例については後述する。
【００４２】
モード制御部１０６は、自装置（スマートフォン１）が所定の動作モードで動作するように制御する機能であり、本発明の「制御部」の一例である。動作モードとは、スマートフォン１が備える各機能のうち動作させる機能及び動作させない機能を定め、動作させる機能については必要ならそれが行うべき動作を定めた規則（ルール）のことである。モード制御部１０６は、本実施例では、４つの動作モードでの動作を制御する。４つの動作モードとは、「電源オフモード」と、「第１スリープモード」と、「第２スリープモード」と、「アクティブモード」である。
【００４３】
モード制御部１０６は、各動作モードにおいて、図３に表す各部への電力供給の有無と、画像書換イベント検知の有無（画像書換イベントを検知するか否か）と、表示部１３１の表示動作とを制御する。電力供給の制御対象は、外部通信部１０２、位置測定部１０５、表示部１３１及びタッチ操作受付部１３２である。これらの機能はそれぞれ通信装置１４、測位装置１５、ディスプレイ２４及び位置検出センサ２５というデバイスによって実現されている。
【００４４】
モード制御部１０６がバッテリー電源部１０１に電力を供給する機能を指定すると、バッテリー電源部１０１はその機能を実現するデバイスに電力を供給する。モード制御部１０６はそうして各機能の電力供給の有無を制御する。モード制御部１０６は、各動作モードと、各部への電力供給の有無と、画像書換イベント検知の有無と、表示動作とを対応付けた動作モードテーブル（例えばストレージ１３に記憶されている）を参照してこの制御を行う。
【００４５】
図４は動作モードテーブルの一例を表す。図４の例では、例えば「電源オフ」モードに対して、「外部通信部」、「位置測定部」、「表示部」、「タッチ操作受付部」（それぞれ図３の同名の機能を示す）への電力供給が全て「なし」であり、画像書換イベント検知も「なし」であり、表示動作が「固定表示」であることが対応付けられている。固定表示とは、表示部１３１に所定の画像を表示させたまま変化させないことをいう。
【００４６】
表示部１３１は、上記のとおり書き換えた画像の維持には電力を消費しないので、表示部１３１に電力供給がなくても固定表示を行うことができる。このように、「電源オフ」モードは、スマートフォン１の電源をオフにした（電源を切った）モードであり、電源を投入する操作を行わなければスマートフォン１が一切動作を行わない状態とするモードである。
【００４７】
ただし、モード制御部１０６は、電源オフモードに切り替える前に電源オフモード用の所定の画像である電源オフ画像への書き換えを表示部１３１に行わせる。これにより、電源オフモードでは電源オフ画像が固定表示される。電源オフ画像は、例えばスマートフォン１の提供者が予め記憶させておいた壁紙画像又は事前にユーザが電源オフモードで固定表示をさせるために設定した画像等である。
【００４８】
また、例えばスマートフォン１を紛失したときのために、モード制御部１０６は、紛失時の連絡先を示す画像を電源オフ画像として固定表示させてもよい。紛失時の連絡先とは、その連絡先に連絡すると、スマートフォン１の持ち主に連絡を取ることができる情報であり、例えばスマートフォン１の持ち主の自宅の電話番号又はメールアドレス等である。
【００４９】
「第１スリープ」モードに対しては、「外部通信部」、「位置測定部」、「表示部」、「タッチ操作受付部」への電力供給が「あり」、「あり」、「通常なし（一時的にあり）」、「なし」であり、画像書換イベント検知が「あり」であり、表示動作が「イベント更新表示」であることが対応付けられている。第１スリープモードでは、モード制御部１０６がタッチ操作受付部１３２に電力を供給させないのでタッチ操作が受け付けられない。そのため例えば誤ってタッチスクリーン装置２３を触ってもスマートフォン１が動作しないようになっている。
【００５０】
一方で、第１スリープモードでは、モード制御部１０６が外部通信部１０２に電力を供給させるので、外部通信部１０２が待機状態となり、例えば移動体通信の接続要求及び電子メール等の文書データを受信することができるようになっている。イベント更新表示とは、イベント検知部１０４により画像書換イベントが検知された場合に画像を更新する表示のことである。表示部１３１への電力供給は「通常無し」であるが、画像更新のときだけ一時的に電力が供給されるので、電力供給が「一時的にあり」と表されている。
【００５１】
第１スリープモードでは、画像書換イベントとして位置測定部１０５による所定の位置の測定が用いられる。そのため、モード制御部１０６は、位置測定部１０５に電力を供給させている。第１スリープモードにおけるイベント更新表示について具体例を挙げて説明する。例えば、スマートフォン１は上述したとおりクレジットカード程度の大きさであるため、社員証ケースに入れることができる。
【００５２】
そこで、モード制御部１０６は、本実施例の第１スリープモードでは、ユーザの社員証を表す社員証画像を所定の画像として表示部１３１に表示させる。また、モード制御部１０６は、第１スリープモードにおいて（動作モードを第１スリープモードにする制御を行っている状態で）、所定の位置としてユーザの会社の敷地外の位置を用いてイベント更新表示を行う。
【００５３】
具体的には、モード制御部１０６は、第１スリープモードにおいて、会社の敷地外の位置の測定がイベント検知部１０４により画像書換イベントとして検知された場合、つまりユーザが会社の敷地外に出た場合に、個人情報を含む社員証画像から例えば単なる社章を表す社章画像に書き換えさせる。なお、社章画像は一例であり、他にも個人毎に設定した壁紙等に書き換えさせてもよい。
【００５４】
また、モード制御部１０６は、所定の位置としてユーザの会社の敷地内の位置も用いて第１スリープモードにおけるイベント更新表示を行う。モード制御部１０６は、第１スリープモードにおいて、会社の敷地内の位置の測定がイベント検知部１０４により画像書換イベントとして検知された場合（つまりユーザが会社の敷地内に入った場合）に、敷地外に出た場合とは反対に、社章画像を社員証画像に書き換えさせる。
【００５５】
「第２スリープ」モードに対しては、「外部通信部」、「位置測定部」、「表示部」、「タッチ操作受付部」への電力供給が「あり」、「なし」、「通常なし（一時的にあり）」、「あり」であり、画像書換イベント検知が「あり」であり、表示動作が「イベント更新表示」であることが対応付けられている。第２スリープモードでは、第１スリープモードと異なりモード制御部１０６がタッチ操作受付部１３２に電力を供給させているのでタッチ操作が受け付けられる。
【００５６】
ただし、第１スリープモードにおけるタッチ操作の受け付けは、動作モードをアクティブモードに切り替えるためのものであり、表示部１３１が表示する画像を操作するためのものではない。また、第２スリープモードでは、第１スリープモードと同様にモード制御部１０６が外部通信部１０２に電力を供給させていて待機状態にしているので、外部通信部１０２が移動体通信の接続要求及び電子メール等の文書データを受信することができる。
【００５７】
また、モード制御部１０６は、第２スリープモードにおいて、現在時刻の「分」の位の数値の変化を画像書換イベントとして用いてイベント更新表示を行う。具体的には、モード制御部１０６は、第２スリープモードにおいて、現在時刻を所定の画像として表示部１３１に表示させ、１分経つ度に新たな現在時刻に書き換えさせる。また、第２スリープモードでは、モード制御部１０６は、外部通信部１０２による接続要求の受信を画像書換イベントとして用いてイベント更新表示を行う。
【００５８】
モード制御部１０６は、第２スリープモードにおいて、外部通信部１０２により接続要求が受信されると、受信された接続要求に応じた画像として、例えば着信があった旨を示す着信画像に書き換えさせる。なお、接続要求に応じた画像は、これ以外にも、例えば発信元の電話番号、発信者の氏名又は発信者の写真等であってもよい。また、モード制御部１０６は、第２スリープモードでは、外部通信部１０２による文書データの受信を画像書換イベントとして用いてイベント更新表示を行う。
【００５９】
モード制御部１０６は、第２スリープモードにおいて、外部通信部１０２により文書データが受信されると、受信された文書データをストレージ１３等の記憶手段に記憶させると共に、受信された文書データに応じた画像として、例えば文書データの受信を示す文書受信画像（「メールを受信しました」という文字列画像等）に書き換えさせる。なお、文書データに応じた画像は、これに限らず、例えば文書の冒頭を示す文字列画像又は文書データの発信元のメールアドレス又はＳＮＳアカウント等であってもよい。
【００６０】
一方で、本実施例の第２スリープモードでは、位置の測定を画像書換イベントとして用いないので、モード制御部１０６は、位置測定部１０５に電力を供給させていない。なお、イベント更新表示に用いる上述した画像書換イベントはあくまで一例であり、第１スリープモード及び第２スリープモードとも、上述した例に限定されないものとする。
【００６１】
「アクティブ」モードに対しては、「外部通信部」、「位置測定部」、「表示部」、「タッチ操作受付部」への電力供給が「あり」、「なし」、「通常なし（一時的にあり）」、「あり」であり、画像書換イベント検知が「なし」であり、表示動作が「操作表示」であることが対応付けられている。操作表示とは、ユーザが行った操作（タッチ操作・ボタン操作）に応じて行われる表示である。操作表示は、他の動作モードでは行われることがなく、アクティブモードでのみ行われる。
【００６２】
アクティブモードでは、画像書換イベント検知が行われないので、モード制御部１０６は、位置測定部１０５に電力を供給させていない（なお、アプリで使用するためモード制御部１０６以外の機能によって電力が供給されることはある）。また、アクティブモードでは、操作表示を行うため、モード制御部１０６は、タッチ操作受付部１３２に電力を供給させている。
【００６３】
なお、アクティブモードでも、表示部１３１への電力供給は、例えばユーザの操作又はアプリの動作等により画像が書き換えられるときにのみ行われる。また、アクティブモードでも当然外部通信部１０２に電力が供給されて待機状態になっているので、外部通信部１０２が移動体通信の接続要求及び電子メール等の文書データを受信することができる。モード制御部１０６は、以上の４つの動作モードの切り替えを、切替元動作モードと切替先動作モードと切替条件を対応付けた切替条件テーブル（例えばストレージ１３に記憶されている）を参照して行う。
【００６４】
図５は切替条件テーブルの一例を表す。図５の例では、例えば切替元動作モードが「電源オフ」モードである場合、切替先動作モードは「アクティブ」モードのみであり、切替イベントは「メインボタン長押し」であることが対応付けられている。この場合、モード制御部１０６は、「電源オフ」モードの状態で「メインボタン長押し」が行われると「アクティブ」モードに切り替える。
【００６５】
同様に、モード制御部１０６は、切替元動作モードが「第１スリープ」モードである場合、「メインボタン長押し」が行われると「電源オフ」モードに切り替え、「メインボタン普通押し」又は「接続要求・文書データの受信」が行われると「第２スリープ」モードに切り替える。「普通押し」とは長押しと判断されない短い時間だけボタンを押す操作である。第１スリープモードではタッチ操作が受け付けられないので、電力が供給されている外部通信部１０２の動作及び電力供給がなくても動作するメインボタン４２が切替イベントとして用いられている。
【００６６】
モード制御部１０６は、切替元動作モードが「第２スリープ」モードである場合、「メインボタン長押し」が行われると「電源オフ」モードに切り替え、「メインボタン普通押し」が行われるか「一定時間の経過」が認められると「第１スリープ」モードに切り替え、「スワイプ操作」が行われると「アクティブ」モードに切り替える。第２スリープモードではタッチ操作が受け付けられるので、スワイプ操作（表示面上の任意の点を起点としてタッチ位置をいずれかの方向に移動させる操作）が切替イベントとして用いられている。
【００６７】
モード制御部１０６は、切替元動作モードが「アクティブ」モードである場合、「メインボタン長押し」が行われると「電源オフ」モードに切り替え、「メインボタン普通押し」が行われるか「一定時間の経過」が認められると「第２スリープ」モードに切り替える。このように、本実施例では、アクティブモードから何もしないで一定時間が経過すると第２スリープモードに切り替わり、さらに一定時間が経過すると第１スリープモードに切り替わる。
【００６８】
また、メインボタン４２の普通押しを繰り返すことで第１スリープモードと第２スリープモードを強制的に切り替えることができる。また、第１スリープモードで接続要求が受信された場合、一度第２スリープモードに切り替わってからイベント更新表示で着信画像が表示される。この状態でスワイプ操作を行うとアクティブモードに切り替わるので、例えば電話アプリにより表示される通話開始ボタンを操作して通話を開始することができる。
【００６９】
以上のとおり、モード制御部１０６は、動作モードの切り替えの可否を示す切替条件が満たされた場合に、自装置の動作モードを切り替える。モード制御部１０６は、例えば、第２スリープモードにおいてメインボタン４２の普通押しが行われ、又は、一定時間が経過すると切替条件が満たされたと判断し、第１スリープモードに切り替える。この第１スリープモードは、バッテリー電源部１０１から外部通信部１０２への電力の供給が行われる動作モードである。
【００７０】
第１スリープモードは本発明の「第１動作モード」の一例である。また、この場合に用いられる切替条件は本発明の「第１の条件」の一例である。また、第１スリープモードは、タッチスクリーン部１０３により画像が維持された状態（イベント更新表示が行われた状態）でバッテリー電源部１０１からタッチスクリーン部１０３への電力の供給が行われない動作モードである。
【００７１】
ただし、モード制御部１０６は、第１スリープモードにおいて、イベント検知部１０４により画像書換イベントが検知された場合にはバッテリー電源部１０１からタッチスクリーン部１０３へ電力を一時的に供給させる。具体的には、モード制御部１０６は、バッテリー電源部１０１からタッチスクリーン部１０３に一時的に電力を供給させ、タッチスクリーン部１０３に表示されている画像を検知された画像書換イベントに応じた画像に書き換えさせる。
【００７２】
この画像書換イベントとしては、本実施例では所定の位置（上記の例では会社の敷地外の位置、会社の敷地内の位置）の測定が用いられている。モード制御部１０６は、会社の敷地外の位置の測定という画像書換イベントが検知された場合には社員証画像を社章画像（この画像書換イベントに応じた画像）に書き換えさせ、会社の敷地内の位置の測定という画像書換イベントが検知された場合には社章画像を社員証画像（この画像書換イベントに応じた画像）に書き換えさせている。
【００７３】
このように、本実施例では、モード制御部１０６は、第１スリープモードにおいて、イベント検知部１０４により位置測定部１０５による所定の位置の測定が検知された場合に、バッテリー電源部１０１からタッチスクリーン部１０３に一時的に電力を供給させ、タッチスクリーン部１０３に表示されている画像を位置測定部１０５により測定された位置に応じた画像（上記例では社章画像又は社員証画像）に書き換えさせる。
【００７４】
第２スリープモードは本発明の「第２動作モード」の一例であり、第２スリープモードへの切り替えで用いられる切替条件は本発明の「第２の条件」の一例である。第２スリープモードは、タッチスクリーン部１０３により画像が維持された状態（イベント更新表示が行われた状態）で第１スリープモードと異なりバッテリー電源部１０１からタッチスクリーン部１０３への電力の供給が行われ、且つ、バッテリー電源部１０１から外部通信部１０２への電力の供給が行われる動作モードである。
【００７５】
また、本実施例では、モード制御部１０６は、第１スリープモード、第２スリープモード及びアクティブモードにおいてメインボタン４２の長押しが行われると、切替条件が満たされたと判断し、自装置の動作モードを電源オフモードに切り替える。この電源オフモードは、バッテリー電源部１０１から自装置の各部のいずれにも電力が供給されない動作モードである。電源オフモードは本発明の「第３動作モード」の一例である。また、この場合に用いられる切替条件は本発明の「第３の条件」の一例である。
【００７６】
モード制御部１０６は、その際、タッチスクリーン部１０３に表示されている画像を所定の画像（上述した電源オフ画像）に書き換えさせた後に自装置を電源オフモードに切り替える。また、モード制御部１０６は、第２スリープモード及びアクティブモードについても、図５に表す切替条件が満たされた場合に、自装置の動作モードをそれらの動作モードに切り替える。
【００７７】
スマートフォン１は、上記の構成に基づいて、動作モードを切り替えるモード切替処理を行う。
図６はモード切替処理における動作手順の一例を表す。この動作手順は、例えば、スマートフォン１の動作中に常に繰り返し行われる。まず、スマートフォン１（モード制御部１０６）は、現在の動作モードと図５に表す切替条件テーブルに基づいて、動作モードの切替条件が満たされたか否かを判断する（ステップＳ１１）。
【００７８】
スマートフォン１（モード制御部１０６）は、切替条件が満たされた（ＹＥＳ）と判断するまでステップＳ１１の動作を繰り返す。スマートフォン１（モード制御部１０６）は、切替条件が満たされた（ＹＥＳ）と判断した場合、切替先の動作モードが何かを判断する（ステップＳ１２）。スマートフォン１（モード制御部１０６）は、切替先が電源オフモードだと判断した場合、まず、表示されている画像を電源オフ画像に書換えさせる（ステップＳ２１）。
【００７９】
次に、スマートフォン１（モード制御部１０６）は、自装置の各部への電力供給を停止させ（ステップＳ２２）、この動作手順を終了する。こうしてステップＳ２１で書き換えられた電源オフ画像は、電源オフモードが続く限り書き換えられない状態、すなわち固定表示された状態になる。
【００８０】
スマートフォン１（モード制御部１０６）は、ステップＳ１２で切替先が第１スリープモードだと判断した場合、まず、バッテリー電源部１０１から外部通信部１０２及び位置測定部１０５に電力を供給させる（ステップＳ３１）。なお、これらの機能に既に電力が供給されていればその状態を維持させる。次に、スマートフォン１（位置測定部１０５）は、自装置の位置を測定する（ステップＳ３２）。
【００８１】
続いて、スマートフォン１（モード制御部１０６）は、表示部１３１に表示されている画像を測定された位置に応じた画像（上記の例では会社の敷地外の位置が測定されれば社章画像、会社の敷地内の位置が測定されれば社員証画像）に書換えさせる（ステップＳ３３）。そして、スマートフォン１（モード制御部１０６）は、上述したイベント更新表示の処理を開始させて（ステップＳ３４）、この動作手順を終了する。イベント更新表示の処理の詳細は別の図を参照して後ほど説明する。
【００８２】
スマートフォン１（モード制御部１０６）は、ステップＳ１２で切替先が第２スリープモードだと判断した場合、まず、バッテリー電源部１０１から外部通信部１０２及びタッチ操作受付部１３２に電力を供給させる（ステップＳ４１）。続いて、スマートフォン１（モード制御部１０６）は、現在時刻の画像を表示部１３１に表示させる（ステップＳ４２）。そして、スマートフォン１（モード制御部１０６）は、イベント更新表示の処理を開始させて（ステップＳ４３）、この動作手順を終了する。
【００８３】
スマートフォン１（モード制御部１０６）は、ステップＳ１２で切替先がアクティブモードだと判断した場合、まず、バッテリー電源部１０１から外部通信部１０２及びタッチ操作受付部１３２に電力を供給させる（ステップＳ５１）。続いて、スマートフォン１（モード制御部１０６）は、例えば前回のアクティブモードの終了時の表示状態を復旧させる（ステップＳ５２）。そして、スマートフォン１は、ユーザの操作に応じて画像を表示させる操作表示の処理を開始させて（ステップＳ５３）、この動作手順を終了する。
【００８４】
図７はイベント更新表示処理における動作手順の一例を表す。まず、スマートフォン１（イベント検知部１０４）は、画像書換イベント（所定の位置の測定など）の検知を試みるイベント検知処理を行う（ステップＳ６１）。スマートフォン１（モード制御部１０６）は、ステップＳ６１で画像書換イベントが検知されたか否かを判断し（ステップＳ６２）、検知されていない（ＮＯ）と判断した場合はステップＳ６１に戻って動作を行う。
【００８５】
スマートフォン１（モード制御部１０６）は、ステップＳ６２で検知された（ＹＥＳ）と判断した場合は、検知された画像書換イベントに応じた画像（上述した現在時刻の画像、社章画像又は社員証画像等）に書換えさせ（ステップＳ６３）、この動作手順を終了する。スマートフォン１は、第１スリープモード及び第２スリープモードで動作している間は図７に表す動作手順を繰り返し行う。
【００８６】
本実施例では、電源オフモードでも上記のとおり固定表示が行われる。これにより、電力をほとんど消費しない状態でも、スマートフォンに表示させた画像（電源オフ画像）によりユーザに何らかの情報（例えば紛失時の連絡先等）を伝えることができる。また、本実施例では、アクティブモードに比べて電力の消費を抑制するスリープモード（第１スリープモード及び第２スリープモード）において、基本的には画像を書き換えない省電力の表示を行いつつ、画像書換イベントが検知されたときにはイベント更新表示を行っている。
【００８７】
このイベント更新表示においても、画像の書き換えの際にしか電力が消費されないので、前述した電力消費の抑制を続けつつ、時間と共に変化する情報（例えば現在時刻等）をユーザに伝えることができる。また、本実施例では、第１スリープモードにおいて、画像書換イベントとして、スマートフォン１の所定の位置の測定が用いられる。これにより、前述した電力消費の抑制を続けつつ、上述した写真賞画像及び社章画像の例のように、ユーザがいる位置毎により望ましい画像を表示させることができる。
【００８８】
また、本実施例では、第１スリープモードではタッチ操作を受け付けないようにしている。これにより、例えばスマートフォン１をカードのように指先でつまんで持ったり胸ポケットに入れたりしたときでも意図せず動作して、省電力表示をしている画像（例えば社員証画像又は社章画像等）が消えてしまうということが起こらないようにして、省電力表示を活用できるようにしている。
【００８９】
一方で、第１スリープモードでも、外部通信部１０２には電力を供給して待機状態が維持されるようにしている。このように待機状態を維持させることで、通信の利便性を保ちつつ、省電力表示を活用することができるようにしている。また、第１スリープモードではタッチスクリーン部１０３に電力が供給されないので、この電力供給がされない場合に比べて、当然ながらタッチスクリーン部１０３の電力消費を抑えることもできる。
【００９０】
［２］変形例
上述した実施例は本発明の実施の一例に過ぎず、以下のように変形させてもよい。
【００９１】
［２−１］操作子
ボタン装置４１は、上述したメインボタン４２及び音量ボタン４３以外の操作子を備えていてもよい。例えば、ボタン装置４１は、ロックボタン、ホームボタン、戻るボタン、履歴ボタン等を備えていてもよい。また、物理的に押すことができるボタンではなく、タッチセンサにより押したことを判定する操作子をスマートフォンが備えていてもよい。
【００９２】
［２−２］画像書換イベント（その１）
画像書換イベントは上述したものの限らない。例えば、ユーザが所定の操作を行うことが画像書換イベントとして用いられてもよい。
図８は本変形例のスマートフォン１ａが実現する機能構成を表す。スマートフォン１ａは、図３に表す各部に加えてユーザ操作受付部１０７を備える。
【００９３】
ユーザ操作受付部１０７は、ユーザの操作を受け付ける機能であり、本発明の「操作受付部」の一例である。ユーザ操作受付部１０７は、例えば図１に表すボタン装置４１によって実現され、音量ボタン４３への操作を受け付ける。ユーザ操作受付部１０７は、音量ボタン４３への操作を受け付けると、その旨をイベント検知部１０４に通知する。イベント検知部１０４は、この通知を受け取ると、ユーザ操作受付部１０７による音量ボタン４３への操作の受け付けを画像書換イベントとして検知する。
【００９４】
後は、実施例と同様に、モード制御部１０６が、第１スリープモードにおいて、イベント検知部１０４によりユーザ操作受付部１０７による操作の受け付けが検知された場合に、バッテリー電源部１０１からタッチスクリーン部１０３に一時的に電力を供給させ、タッチスクリーン部１０３に表示されている画像を検知された操作に応じた画像に書き換えさせる。
【００９５】
例えば実施例で述べた社員証画像が音量ボタン４３−１への操作に対応付けられ、社章画像が音量ボタン４３−２への操作に対応付けられているものとする。その場合、モード制御部１０６は、音量ボタン４３−１への操作が受け付けられると、表示部１３１に社員証画像以外の画像が表示されていれば、その表示中の画像を音量ボタン４３−１への操作に応じた画像である社員証画像に書換えさせる。
【００９６】
なお、検知される操作は上記の例に限らず、第１スリープモードにおいて電力が供給されていないタッチスクリーン部１０３が受け付けるタッチ操作以外の操作であればどのような操作が用いられてもよい。いずれの場合も、第１スリープモードのイベント更新表示により表示される画像が複数ある場合に、ユーザは自分が表示させたい画像にいつでも切り替えることができる。
【００９７】
［２−３］画像書換イベント（その２）
画像書換イベントは上述したものに限らない。例えば実施例では第１スリープモードの画像書換イベントとして所定の位置の測定だけが用いられた。例えば、モード制御部１０６が、第１スリープモードの画像書換イベントとして、実施例では第２スリープモードへの切替条件として用いられた接続要求の受信及び文書データの受信を用いてイベント更新表示を行ってもよい。
【００９８】
具体的には、モード制御部１０６は、第１スリープモードにおいて、外部通信部１０２により接続要求が受信された場合に、バッテリー電源部１０１からタッチスクリーン部１０３に一時的に電力を供給させ、タッチスクリーン部１０３に表示されている画像を受信された接続要求に応じた画像（例えば着信があった旨を示す着信画像）に書き換えさせる。
【００９９】
また、モード制御部１０６は、第１スリープモードにおいて、外部通信部１０２により文書データが受信された場合に、受信された文書データをストレージ１３等の記憶手段に記憶させる。モード制御部１０６は、それと共に、バッテリー電源部１０１からタッチスクリーン部１０３に一時的に電力を供給させ、タッチスクリーン部１０３に表示されている画像を受信された文書データに応じた画像（例えば文書データの受信を示す文書受信画像）に書き換えさせる。
【０１００】
また、モード制御部１０６は、接続要求の受信及び文書データの受信を第２スリープモードへの切替条件として用いると第１スリープモードでのイベント更新表示ができなくなるので、本変形例では切替条件として用いない。そうすることで、モード制御部１０６は、第１スリープモードを維持したまま、上記の着信画像又は文書受信画像を表示させることができる。
【０１０１】
実施例では第１スリープモードからアクティブモードへの切替条件が定められていなかったが、本変形例では、例えばメインボタン４２の普通押しを第２スリープモードへの切替条件ではなくアクティブモードへの切替条件として定めてもよい。もしくは、メインボタン４２の普通押しを第２スリープモードへの切替条件として残しておいて、例えばメインボタン４２の２回押しをアクティブモードへの切替条件として定めてもよい。
【０１０２】
いずれの場合も、第１スリープモードからアクティブモードへの切替条件を定めない場合に比べて、第１スリープモードにおけるイベント更新表示を見たユーザが通話を開始し又は受信された文書データを閲覧する際の手間を少なくすることができる。また、実施例では、接続要求の受信及び文書データの受信があると必ず第２スリープモードに切り替わっていた。
【０１０３】
しかし、例えば通話元又は自分の状況によっては通話を行わなくてよい場合がある。また、文書データもすぐに閲覧しなくてもよい場合がある。それらの場合に、本変形例では、第１スリープモードにおいて上記のイベント更新表示が行われることで、ユーザは第１スリープモードを維持させるという選択をすることができる。また、もちろん、それら以外の場合には、アクティブモードに切り替えて通話の開始又は文書データの閲覧をすることもできるから、通信の利便性も保つことができる。
【０１０４】
また、上記の例以外にも、モード制御部１０６は、例えば第１スリープモードで現在時刻を示すイベント更新表示を行ってもよいし、第２スリープモードで所定の位置の測定を画像書換イベントとして用いたイベント更新表示を行ってもよい。また、モード制御部１０６は、所定の時刻になることを画像書換イベントとして用いたイベント更新表示（例えば会議の時刻の前に会議が始まる旨を示す文字列画像を表示させるなど）を行ってもよい。
【０１０５】
また、スマートフォンは胸ポケットに入れておけるほど小型なので、例えば心拍センサを設けて、モード制御部１０６が、第１スリープモード又は第２スリープモードにおいて、ユーザの心拍数に異常が発生することを画像書換イベントとして用いたイベント更新表示を行ってもよい。その場合、モード制御部１０６は、例えば異常が発生した心拍数の履歴又は異常を警告する旨の文字列等を表示させる。
【０１０６】
このように、スマートフォンの機能でイベントの発生を検知することができ、そのイベントに応じて画像を表示させる意義があるのであれば、どのようなイベントが画像書換イベントとして用いられてもよい。なお、第１スリープモード又は第２スリープモードにおいてイベント更新表示を必ず行わなければならないわけではなく、電源オフモードのように固定表示が行われてもよい。その場合、イベント更新表示を行うよりもさらに電力の消費量を少なくすることができる。
【０１０７】
［２−４］位置に応じた画像
位置測定部１０５により測定された位置に応じた画像は、実施例で述べたもの（社章画像又は社員証画像等）に限らない。例えば、建物の中でセキュリティレベルが通常のノーマルフロアとセキュリティレベルが高い高セキュリティフロアがあり、高セキュリティフロアではワンタイムパスワード（システムから発行された一定期間だけ有効なパスワード）の読取装置が扉に設けられている場合を想定する。
【０１０８】
この場合に、モード制御部１０６が、高セキュリティフロアを示す位置の測定又は高セキュリティフロアを示す位置の測定を画像書換イベントとして用いてイベント更新表示を行ってもよい。両フロアは建物の中であるが、ＷｉＦｉ測位を用いれば、各フロアの位置が測定可能である。モード制御部１０６は、高セキュリティフロアを示す位置の測定が画像書換イベントとして検知されると、タッチスクリーン部１０３に表示されている画像をワンタイムパスワードを示す画像（例えばバーコード）に書換えさせる。
【０１０９】
また、モード制御部１０６は、ノーマルフロアを示す位置の測定が画像書換イベントとして検知されると、タッチスクリーン部１０３に表示されている画像をワンタイムパスワードを含まない画像に書換えさせる。これにより、高セキュリティフロアに移動した際にユーザがスマートフォンを操作しなくてもワンタイムパスワードを示す画像が表示されるので、ユーザの操作でその画像を表示させる場合に比べて扉を開けるための手間を少なくすることができる。
【０１１０】
一方、ワンタイムパスワードを示す画像を表示する期間が長いほど、第三者にワンタイムパスワードが漏洩する危険が高まる。本変形例では、ノーマルフロアに移動した際はワンタイムパスワードを含まない画像が表示されるので、ノーマルフロアでもワンタイムパスワードを示す画像を表示させる場合に比べて、ワンタイムパスワードが漏洩する危険を低くすることができる。
【０１１１】
なお、上記の例以外にも、例えば、スマートフォンにバーコード又はＱＲコード（登録商標）を表示させて店舗でそれらのコードを読み取って行う決済を利用可能な店舗があれば、その店舗の位置の測定が画像書換イベントとして用いられてもよい。その場合、モード制御部１０６は、その店舗の位置の測定という画像書換イベントが検知された場合に、表示部１３１に表示されている画像をその店舗で利用可能なコード画像に書換えさせるイベント更新表示を行う。
【０１１２】
また、モード制御部１０６は、その店舗から離れた位置の測定という画像書換イベントが検知された場合に、表示部１３１に表示されている画像をコード画像を含まない画像に書換えさせるイベント更新表示を行う。これにより、これらのイベント更新表示が行われない場合に比べて、上記店舗での決済を行う際の手間を少なくすることができ、且つ、コード画像が漏洩して悪用される危険を少なくすることができる。なお、本変形例のイベント更新表示は、第１スリープモード及び第２スリープモードのいずれで行われてもよい。
【０１１３】
［２−５］電源オフ画像
電源オフ画像を状況によって異ならせてもよい。本変形例では、モード制御部１０６が、電源オフモードへの切替条件として、図５に表すメインボタン４２の長押しにより満たされる条件（以下「長押し条件」という）の他に、「バッテリー切れ」により満たされる切替条件（以下「電池切れ条件」という）を含む複数の切替条件を用いる。この電池切れ条件は本発明の「第４の条件」の一例である。
【０１１４】
モード制御部１０６は、上述した複数の切替条件（長押し条件及び電池切れ条件）のいずれかが満たされた場合に、動作モードを電源オフモードに切り替える。その際に、モード制御部１０６は、タッチスクリーン部１０３に表示されている画像を、満たされた切替条件が電池切れ条件であるか否かに応じた画像に書き換えさせた後、自装置の動作モードを電源オフモードに切り替える。
【０１１５】
モード制御部１０６は、例えば、長押し条件が満たされた場合には、ユーザが定めた壁紙を電源オフ画像として固定表示を行わせ、電池切れ条件が満たされた場合には、スマートフォン１の紛失時の連絡先を示す画像を電源オフ画像として固定表示を行わせる。スマートフォン１は基本的に毎日使用するものなので、常に充電されていて電池（バッテリー）が切れることはあまりない。
【０１１６】
しかし、スマートフォン１を紛失すると持ち主による充電がされなくなるので、電池切れが起こりやすくなる。本変形例では、電池切れの際に上記のとおり紛失時の連絡先を固定表示させることで、その固定表示を行わない場合に比べて、紛失したスマートフォン１が持ち主の元に戻ってきやすいようにすることができる。
【０１１７】
一方、メインボタン４２の長押しにより電源がオフされるのは、持ち主がスマートフォン１を使用している場合が多い。本変形例では、電池切れ条件以外の切替条件である長押し条件が満たされた場合には他の電源オフ画像が固定表示されるので、その場合にも紛失時の連絡先を固定表示させる場合に比べて、持ち主の個人情報が他人に知られる可能性を減らすことができる。
【０１１８】
［２−６］機能構成
スマートフォンの機能構成は図３及び図８に表すものに限らない。例えば図３に表す複数の機能ブロックを１つの機能ブロックに統合してもよい。また、１つの機能ブロックに複数の機能が含まれている場合に、機能の一部を分離させて新たな機能ブロックを設けてもよい。また、１つの機能ブロックが複数の動作を行っている場合に、その動作の一部を他の機能ブロックが行ってもよい。
【０１１９】
例えばイベント検知部１０４及びモード制御部１０６を統合してイベントの検知及び動作モードの制御の両方を行う１つの機能としてもよい。また、例えば、モード制御部１０６が行っていた電力の供給先の制御とイベント更新表示を別々の機能が行うようにしてもよい。いずれの場合も、機能構成の全体で図３及び図８に表す各機能と同等の機能が実現されていればよい。
【０１２０】
［２−７］表示装置
実施例では、電気泳動方式の表示装置が用いられたが、これに限らず、例えば電圧を切っても液晶分子の向きを維持するコレステリック液晶を用いた反射型の液晶ディスプレイが用いられてもよい。本発明の表示装置は、このように、表示する画像の書き換えには電力を消費し、書き換えた画像の維持には電力を消費しないタッチスクリーン部を備えることで、通信の利便性を保ちつつ、省電力表示を活用することができる。
【０１２１】
なお、本発明は、書き換えが画像の維持に電力を消費するタッチスクリーン部（バックライト型の液晶ディスプレイを備えるタッチスクリーン部）を備える表示装置に適用することもできる。その表示装置においては、バッテリー電源部１０１が、タッチスクリーン部の表示部１３１とタッチ操作受付部１３２への電力供給を個別に行うことができるものとする。
【０１２２】
モード制御部１０６は、第１スリープモードにおいて、表示部１３１及び外部通信部１０２に電力を供給させ、タッチ操作受付部１３２には電力を供給させないようバッテリー電源部１０１を制御する。これにより、モード制御部１０６は、タッチスクリーン部により表示された画像が維持された状態でバッテリー電源部１０１からタッチ操作のための電力が供給されず、且つ、バッテリー電源部１０１から外部通信部１０２への電力の供給が行われる動作モードを第１スリープモードとして自装置を切り替える。
【０１２３】
この場合でも、第１スリープモードではタッチ操作受付部１３２に電力が供給されないので、この電力供給がされない場合に比べて、タッチスクリーン部の電力消費を抑えることができる。また、外部通信部１０２には電力を供給して待機状態が維持されるようにしているので、通信の利便性を保つこともできる。
【０１２４】
［２−８］発明のカテゴリ
本発明は、スマートフォンに限らず、例えばタブレット端末、電子書籍端末及びノートパソコン等の表示装置にも適用可能である。要するに、本発明は、上記変形例で述べた表示装置であって図３又は図８に表す各機能を実現するものであれば適用することができる。
【０１２５】
また、本発明は、そのような表示装置の他、その表示装置が実施する処理を実現するための情報処理方法としても捉えられるし、その表示装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【０１２６】
［２−９］処理手順等
本明細書で説明した各実施例の処理手順、シーケンス、フローチャートなどは、矛盾がない限り、順序を入れ替えてもよい。例えば、本明細書で説明した方法については、例示的な順序で様々なステップの要素を提示しており、提示した特定の順序に限定されない。
【０１２７】
［２−１０］入出力された情報等の扱い
入出力された情報等は特定の場所(例えばメモリ)に保存されてもよいし、管理テーブルで管理してもよい。入出力される情報等は、上書き、更新、又は追記され得る。出力された情報等は削除されてもよい。入力された情報等は他の装置へ送信されてもよい。
【０１２８】
［２−１１］ソフトウェア
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１２９】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１３０】
［２−１２］情報、信号
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３１】
［２−１３］「に基づいて」の意味
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１３２】
［２−１４］「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【０１３３】
［２−１５］態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１３４】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2019097741.tif 000003
【図２】
2019097741.tif 000004
【図３】
2019097741.tif 000005
【図４】
2019097741.tif 000006
【図５】
2019097741.tif 000007
【図６】
2019097741.tif 000008
【図７】
2019097741.tif 000009
【図８】
2019097741.tif 000010
【国際調査報告】
2019097741.tif 000011
2019097741.tif 000012
2019097741.tif 000013